(57)【要約】【課題】エラーレートが低い高品質なデータの記録又は再生を行えるよう、合焦位置及び球面収差を最適化することができる光ピックアップ装置を提供する。【解決手段】光ディスクに光ビームを集光させる対物レンズ４１ｂと、対物レンズ駆動手段と、収差補正手段とを備える光ピックアップ装置１に、対物レンズ４１ｂの移動範囲における複数の位置及び複数の補正量の組合せ毎に、トラッキング誤差信号を生成する誤差信号生成手段と、生成されたトラッキング誤差信号に基づいて、対物レンズ４１ｂの位置及び補正量の組合せを複数選択する第１選択手段と、選択された複数の組合せ毎に、光強度信号を生成する光強度信号生成手段と、生成された光強度信号に基づいて、対物レンズ４１ｂの位置及び収差の補正量を一組選択する第２選択手段と、選択された対物レンズ４１ｂの位置及び収差に基づいて、対物レンズ駆動手段及び収差補正手段の動作を制御する手段とを備える。【選択図】図１
2011134391.tif 000002
【特許請求の範囲】
【請求項１】
光ディスク上のトラックに光ビームを集光させる対物レンズと、光ディスクに対して接離する方向へ前記対物レンズを移動させる対物レンズ駆動手段と、前記対物レンズの位置によって変化する収差を補正する収差補正手段とを備える光ピックアップ装置において、
前記対物レンズの移動範囲における複数の位置及び複数の補正量の組合せ毎に、光ディスクからの反射光に基づいて、トラック及び光ビームの照射領域の相対位置を示すトラッキング誤差信号を生成する誤差信号生成手段と、
該誤差信号生成手段にて生成されたトラッキング誤差信号に基づいて、前記対物レンズの位置及び補正量の組合せを複数選択する第１選択手段と、
該第１選択手段にて選択された複数の組合せ毎に、光ディスクからの反射光の強度に応じて電圧レベルが変化する光強度信号を生成する光強度信号生成手段と、
該光強度信号生成手段にて生成された光強度信号に基づいて、前記対物レンズの位置及び収差の補正量を一組選択する第２選択手段と、
該第２選択手段にて選択された前記対物レンズの位置及び収差に基づいて、前記対物レンズ駆動手段及び収差補正手段の動作を制御する手段と
を備えることを特徴とする光ピックアップ装置。
【請求項２】
前記第１選択手段は、
所定信号レベル以上のトラッキング誤差信号が得られた対物レンズの位置及び補正量の組合せを複数選択するようにしてある
ことを特徴とする請求項１に記載の光ピックアップ装置。
【請求項３】
前記第２選択手段は、
最大の光強度信号が得られた対物レンズの位置及び収差の補正量を一組選択するようにしてある
ことを特徴とする請求項１又は請求項２に記載の光ピックアップ装置。
【請求項４】
前記対物レンズの移動範囲における複数の位置及び複数の補正量の組合せを記憶する記憶手段を備え、
前記誤差信号生成手段は、
前記記憶手段が記憶している組合せ毎にトラッキング誤差信号を生成するようにしてある
ことを特徴とする請求項１から請求項３のいずれか一つに記載の光ピックアップ装置。
【請求項５】
請求項１から請求項４までのいずれか一項に記載の光ピックアップ装置と、
該光ピックアップで得られた光強度信号にて、光ディスクに記録されたデータを再生する再生手段と
を備えることを特徴とする光ディスク装置。
【請求項６】
光ディスク上のトラックに光ビームを集光させる対物レンズと、光ディスクに対して接離する方向へ前記対物レンズを移動させる対物レンズ駆動手段と、前記対物レンズの位置によって変化する収差を補正する収差補正手段とを備えた光ディスク装置における光ピックアップ装置を用いて、前記対物レンズの合焦位置及び収差の補正量を調整する光ピックアップ調整方法において、
前記対物レンズの移動範囲における複数の位置及び複数の補正量の組合せ毎に、光ディスクからの反射光に基づいて、トラック及び光ビームの照射領域の相対位置を示すトラッキング誤差信号を生成し、
生成されたトラッキング誤差信号に基づいて、前記対物レンズの位置及び補正量の組合せを複数選択し、
選択された複数の組合せ毎に、光ディスクからの反射光の強度に応じて電圧レベルが変化する光強度信号を生成し、
生成された光強度信号に基づいて、前記対物レンズの位置及び収差の補正量を一組選択し、
選択された前記対物レンズの位置及び収差に基づいて、前記対物レンズ駆動手段及び収差補正手段の動作を制御する
ことを特徴とする光ピックアップ調整方法。
【発明の詳細な説明】
【技術分野】
【０００１】
本発明は、トラッキング誤差信号及び光強度信号に基づいて、対物レンズの合焦位置及び収差の調整を行う光ピックアップ装置、光ディスク装置、及び光ピックアップ調整方法に関する。
【背景技術】
【０００２】
光ディスク装置は、エラーレートが低い高品質なデータの記録再生を行うために、対物レンズのフォーカスバランス及び球面収差を調整し、その最適化を行う。具体的な調整方法は、以下の通りである。
光ディスク装置は、球面収差の値を、所定値ｃ０に固定した状態で、フォーカスバランスの調整を行い、ＴＥＳ信号（Tracking Error Signal）が最大になるようにフォーカスバランスの値ｆ１を決定する。そして、フォーカスバランスの値ｆ１を固定した状態で、球面収差の調整を行い、ＴＥＳ信号が最大になる球面収差の値ｃ１を決定する。
次いで、光ディスク装置は、球面収差の値ｃ１を固定した状態で、フォーカスバランスの調整を行い、ＲＦ信号が最大になるようにフォーカスバランスｆ２を決定する。そして、フォーカスバランスの値ｆ２を固定した状態で、球面収差の調整を行い、ＴＥＳ信号が最大になる球面収差の値ｃ２を決定する。
【先行技術文献】
【特許文献】
【０００３】
【特許文献１】特開平１０−１６２３８１号公報
【発明の概要】
【発明が解決しようとする課題】
【０００４】
しかしながら、ＲＦ信号が最大になる調整値と、ＴＥＳ信号が最大になる調整値とは必ずしも一致していないため、上述の光ディスク装置においては、ＲＦ信号の信号レベルが高いにも拘わらず、ＴＥＳ信号の信号レベルが低くなり、トラッキング制御が不安定になることがあった。
【０００５】
本発明は斯かる事情に鑑みてなされたものであり、背景技術に係る光ディスク装置に比べて、トラッキング制御が安定し、よりエラーレートが低い高品質なデータの記録又は再生を行えるよう、合焦位置及び球面収差を最適化することができる光ピックアップ装置、光ディスク装置及び光ピックアップ調整方法を提供する。
【課題を解決するための手段】
【０００６】
本発明に係る光ピックアップ装置は、光ディスク上のトラックに光ビームを集光させる対物レンズと、光ディスクに対して接離する方向へ前記対物レンズを移動させる対物レンズ駆動手段と、前記対物レンズの位置によって変化する収差を補正する収差補正手段とを備える光ピックアップ装置において、前記対物レンズの移動範囲における複数の位置及び複数の補正量の組合せ毎に、光ディスクからの反射光に基づいて、トラック及び光ビームの照射領域の相対位置を示すトラッキング誤差信号を生成する誤差信号生成手段と、該誤差信号生成手段にて生成されたトラッキング誤差信号に基づいて、前記対物レンズの位置及び補正量の組合せを複数選択する第１選択手段と、該第１選択手段にて選択された複数の組合せ毎に、光ディスクからの反射光の強度に応じて電圧レベルが変化する光強度信号を生成する光強度信号生成手段と、該光強度信号生成手段にて生成された光強度信号に基づいて、前記対物レンズの位置及び収差の補正量を一組選択する第２選択手段と、該第２選択手段にて選択された前記対物レンズの位置及び収差に基づいて、前記対物レンズ駆動手段及び収差補正手段の動作を制御する手段とを備えることを特徴とする。
【０００７】
本発明に係る光ピックアップ装置は、前記第１選択手段は、所定信号レベル以上のトラッキング誤差信号が得られた対物レンズの位置及び補正量の組合せを複数選択するようにしてあることを特徴とする。
【０００８】
本発明に係る光ピックアップ装置は、前記第２選択手段は、最大の光強度信号が得られた対物レンズの位置及び収差の補正量を一組選択するようにしてあることを特徴とする。
【０００９】
本発明に係る光ピックアップ装置は、前記対物レンズの移動範囲における複数の位置及び複数の補正量の組合せを記憶する記憶手段を備え、前記誤差信号生成手段は、前記記憶手段が記憶している組合せ毎にトラッキング誤差信号を生成するようにしてあることを特徴とする。
【００１０】
本発明に係る光ディスク装置は、上述のいずれか一項に記載の光ピックアップ装置と、該光ピックアップで得られた光強度信号にて、光ディスクに記録されたデータを再生する再生手段とを備えることを特徴とする。
【００１１】
本発明に係る光ピックアップ調整方法は、光ディスク上のトラックに光ビームを集光させる対物レンズと、光ディスクに対して接離する方向へ前記対物レンズを移動させる対物レンズ駆動手段と、前記対物レンズの位置によって変化する収差を補正する収差補正手段とを備えた光ディスク装置における光ピックアップ装置を用いて、前記対物レンズの合焦位置及び収差の補正量を調整する光ピックアップ調整方法において、前記対物レンズの移動範囲における複数の位置及び複数の補正量の組合せ毎に、光ディスクからの反射光に基づいて、トラック及び光ビームの照射領域の相対位置を示すトラッキング誤差信号を生成し、生成されたトラッキング誤差信号に基づいて、前記対物レンズの位置及び補正量の組合せを複数選択し、選択された複数の組合せ毎に、光ディスクからの反射光の強度に応じて電圧レベルが変化する光強度信号を生成し、生成された光強度信号に基づいて、前記対物レンズの位置及び収差の補正量を一組選択し、選択された前記対物レンズの位置及び収差に基づいて、前記対物レンズ駆動手段及び収差補正手段の動作を制御することを特徴とする。
【００１２】
本発明にあっては、誤差信号生成手段によって、前記対物レンズの移動範囲における複数の位置及び複数の補正量の組合せ毎にトラッキング誤差信号が生成される。そして、第１選択手段は、生成されたトラッキング誤差信号に基づいて、前記対物レンズの位置及び補正量の組合せを複数選択する。選択された組合せの中には、トラッキング誤差信号及び光強度信号のいずれもが比較的大きな信号レベルであるものと、トラッキング誤差信号の信号レベルが比較的大きく、光強度信号の信号レベルが小さいものとが混在している。
次いで、光強度信号生成手段は、第１選択手段にて選択された前記組合せ毎に光強度信号を生成する。そして、第２選択手段は、生成された光強度信号に基づいて、トラッキング誤差信号及び光強度信号のいずれもが比較的大きな信号レベルになるような対物レンズの位置及び補正量の組合せを一つ選択する。対物レンズ駆動手段及び収差補正手段の動作は、選択された一の組合せに係る対物レンズの位置及び補正量に基づいて制御される。
従って、トラッキング誤差信号の信号レベルが低くなることはない。
【００１３】
本発明にあっては、第１選択手段は、所定信号レベル以上のトラッキング誤差信号が得られた対物レンズの位置及び補正量の組合せを複数選択する。
従って、トラッキング誤差信号の信号レベルが所定信号レベル以上になるように、対物レンズの位置と、球面収差の補正量が決定される。
【００１４】
本発明にあっては、第２選択手段は、最大の光強度信号が得られた対物レンズの位置及び収差の補正量を一組選択する。
従って、トラッキング誤差信号が一定信号レベル以上で、かつ光強度信号の信号レベルが最大になるように、対物レンズの位置と、球面収差の補正量が決定される。
【００１５】
本発明にあっては、記憶手段が、対物レンズの位置及び球面収差の補正量を選択する際に使用する、対物レンズの複数の位置及び複数の補正量の組合せを記憶している。トラッキング誤差信号及び光強度信号が比較的大きくなる対物レンズの位置及び球面収差の補正量は、光ピックアップ毎にばらつきがある。そこで、トラッキング誤差信号及び光強度信号が比較的大きくなる可能性が高い、対物レンズの複数の位置及び複数の補正量の組合せを記憶手段に記憶させた場合、対物レンズの位置及び球面収差の補正量をより速やかに、かつ最適に調整することが可能になる。
【発明の効果】
【００１６】
本発明によれば、背景技術に係る光ディスク装置に比べて、トラッキング制御が安定し、よりエラーレートが低い高品質なデータの記録又は再生を行えるよう、合焦位置及び球面収差を最適化することができる。
【図面の簡単な説明】
【００１７】
【図１】本発明の実施の形態に係る光ディスク装置の構成を模式的に示すブロック図である。
【図２】光ビーム受光部及びアナログ信号処理回路の一構成例を示す説明図である。
【図３】制御部の処理手順を示すフローチャートである。
【図４】制御部の処理手順を示すフローチャートである。
【図５】光ピックアップ調整方法を概念的に示す説明図である。
【図６】光ピックアップ調整方法を概念的に示す説明図である。
【図７】変形例１に係る光ピックアップ調整方法を概念的に示す説明図である。
【発明を実施するための形態】
【００１８】
以下、本発明をその実施の形態を示す図面に基づいて詳述する。
図１は、本発明の実施の形態に係る光ディスク装置の構成を模式的に示すブロック図である。図中１は、本発明の実施の形態に係る光ピックアップ装置１である。光ピックアップ装置１は、光ピックアップ４、アナログ信号処理回路５及び制御部６を備えており、光ディスク７を回転させるスピンドルモータ２及び再生部３と共に光ディスク装置を構成している。以下、一例として、ＢＤ（Blu-ray Disc、登録商標）規格に準拠した光ディスク装置を説明する。
【００１９】
光ピックアップ４は、光ビームを出力する光ビーム出力部４６と、光ビームを光ディスク７の記録層７ａに集光させるための対物レンズ４１ａと、光ディスク７に対して接離する方向及び光ディスク７の径方向へ対物レンズ４１ａを移動させる対物レンズアクチュエータ４１ｂとを備える。なお、光ピックアップ４は、光ディスク７の径方向に移動できるよう、図示しない案内軌条に支持されており、光ピックアップ駆動モータにて、径方向に駆動するように構成されている。
【００２０】
光ビーム出力部４６は、例えば、ＧａＮ（窒化ガリウム）のＩｎ（インジウム）混晶を用いてなるレーザダイオード（LD:Laser Diode）であり、波長４０５ｎｍのレーザ光を出力する。対物レンズ４１ａは、モールド成形された非球面単レンズであり、ＮＡ０．８５の高ＮＡを有している。対物レンズアクチュエータ４１ｂは、例えばマグネット方式の２軸アクチュエータであり、対物レンズ４１ａを支持する弾性体と、対物レンズ４１ａを駆動するための磁石及びコイルとを有しており、コイルへの通電によって、対物レンズ４１ａが光ディスク７に対して接離するフォーカシング方向、又はトラッキング方向へ移動するように構成されている。
【００２１】
また、光ピックアップ４は、対物レンズ４１ａの光軸上、光ビーム出力部４６と対物レンズ４１ａとの間に、光ビーム出力部４６側から順に配された光源用コリメータレンズ４５ｂ、回折格子４５ａ、偏光ビームスプリッタ４４、球面収差補正機構４３、及び１／４波長板４２を備える。光源用コリメータレンズ４５ｂは、光ビーム出力部４６から出力された光ビームを平行光にする光学素子であり、回折格子４５ａは、光源用コリメータレンズ４５ｂを透過した光ビームを０次光及び±１次光の３ビームに分けるための光学素子である。以下、回折した３ビームに共通の光学系を説明する際、各ビームを総称して光ビームと呼ぶ。偏光ビームスプリッタ４４は、回折格子４５ａで回折した光ビームを透過すると共に、光ディスク７から反射された光ビームを反射することによって分離する。球面収差補正機構４３は、対物レンズ４１ａの位置によって変化する球面収差、つまり光ディスク７における集光位置の深さによって変化する球面収差を補正するための補正機構であり、コリメータレンズ４３ａと、コリメータレンズ４３ａの周縁部に設けられた枠部４３ｂと、コリメータレンズ４３ａが対物レンズ４１ａの光軸方向へ移動可能になるように枠部４３ｂを支持する支持軸４３ｃと、コリメータレンズ４３ａを前記光軸方向へ移動させるコリメータレンズ駆動モータ４３ｄとを備える。１／４波長板４２は、直線偏光の光ビームを円偏光に変換し、また光ディスク７から反射された円偏光の光ビームを直線偏光に変換するための素子であり、該変換によって、偏光ビームスプリッタ４４による光ビームの分離を可能にする。
【００２２】
更に、光ピックアップ４は、偏光ビームスプリッタ４４によって分離された光ビームを受光するための受光光学系４７と、光ビーム受光部４８とを備え、光ディスク７に対する合焦制御及びトラッキング制御に必要な信号を得ることができるように構成されている。受光光学系４７は、例えば、集光レンズ４７ａ及びシリンドリカルレンズ４７ｂを含む。合焦制御法としては非点収差法、スポットサイズ検出法、フーコー法等があり、トラッキング制御手法としては、プッシュプル法、差動プッシュプル法、アドバンスドプッシュプル法、新アドバンスドプッシュプル法等がある。以下、一例として、非点収差法及び差動プッシュプル法を説明する。
【００２３】
図２は、光ビーム受光部及びアナログ信号処理回路５の一構成例を示す説明図である。光ビーム受光部４８は、回折格子４５ａで回折し、光ディスク７で反射された０次光を受光する０次光用の４分割フォトダイオード４８ｂと、光ディスク７で反射された１次光を受光する１次光用の２分割フォトダイオード４８ａと、光ディスク７で反射された−１次光を受光する−１次光用の２分割フォトダイオード４８ｃとを備える。４分割フォトダイオード４８ｂは、縦横均等に４分割された４つの受光面を有し、各受光面で受光した０次光の強度に応じた信号ＳA ，ＳB ，ＳC ，ＳD をアナログ信号処理回路５へ出力する。±１次光用の２分割フォトダイオード４８ａ、４８ｃは、均等に２分割された２つの受光面を有し、各受光面で受光した１次光の強度に応じた信号ＳE ，ＳF 及びＳG ，ＳH をアナログ信号処理回路５へ出力する。
【００２４】
アナログ信号処理回路５は、４分割フォトダイオード４８ｂから出力された信号ＳA 〜ＳD に基づいて、ＲＦ信号（トータル信号）を生成するＲＦ信号生成部５１を備える。ＲＦ信号は、光ディスク７で反射された０次光の強度に応じて電圧レベルが変化する信号であり、光ディスク７に記録されたデータの再生に利用されると共に、光ピックアップ４のフォーカスバランス及び球面収差を調整する際にも利用される。ＲＦ信号は、下記式で表される。
ＲＦ＝Ａ＋Ｂ＋Ｃ＋Ｄ・・・（１）
但し、ＲＦは、ＲＦ信号の信号レベル、Ａ，Ｂ，Ｃ，Ｄは、４分割フォトダイオード４８ｂから出力された各信号ＳA ，ＳB ，ＳC ，ＳD の信号レベルである。
【００２５】
また、アナログ信号処理回路５は、光ビーム受光部４８から出力された信号ＳA 〜ＳH に基づいて、ＴＥＳ信号（トラッキング誤差信号）を生成するＴＥＳ信号生成部５２を備える。ＴＥＳ信号は、光ディスク７上のトラックと、光ディスク７に照射された光ビームの照射領域との相対位置に応じて電圧レベルが変化する信号であり、トラッキング制御に利用されると共に、光ピックアップ４のフォーカスバランス及び球面収差を調整する際にも利用される。ＴＥＳ信号は、下記式（２）〜（４）で表される。
ＴＥＳ＝ＭＰＰ−ｋ（ＳＰＰ）・・・（２）
ＭＰＰ＝（Ａ＋Ｄ）−（Ｂ＋Ｃ）・・・（３）
ＳＰＰ＝（Ｅ−Ｆ）＋（Ｇ−Ｈ）・・・（４）
但し、ＴＥＳは、ＴＥＳ信号の信号レベル、ＭＰＰは、０次光のプッシュプル信号の信号レベル、ＳＰＰは±１次光のプッシュプル信号の信号レベル、Ｅ，Ｆ，Ｇ，Ｈは、２分割フォトダイオード４８ａ、４８ｃから出力された信号ＳE ，ＳF ，ＳG ，ＳH の信号レベルである。
【００２６】
更に、アナログ信号処理回路５は、４分割フォトダイオード４８ｂから出力された信号ＳA 〜ＳD に基づいて、ＦＥＳ（Focus Error Signal）信号を生成するＦＥＳ信号生成部５３を備える。ＦＥＳ信号は、対物レンズ４１ａの焦点位置が光ディスク７の記録面上に合うように対物レンズ４１ａの位置を制御するための信号である。ＦＥＳ信号は、下記式（５）で表される。
ＦＥＳ＝（Ａ＋Ｃ）−（Ｂ＋Ｄ）・・・（５）
但し、ＦＥＳは、ＦＥＳ信号の信号レベルである。
【００２７】
更にまた、アナログ信号処理回路５は、フォーカスバランス及び球面収差の補正量を修正するための情報を記憶する記憶部５４を備える。記憶部５４は、対物レンズ４１ａの移動範囲における複数の位置と、複数の球面収差の補正量との組合せを記憶している。以下、該組合せに係る情報を、調整範囲情報という。
【００２８】
図１に示す制御部６は、アナログ信号処理回路５から出力されたＲＦ信号、ＴＥＳ信号及びＦＥＳ信号に基づいて、対物レンズアクチュエータ４１ｂ、光ビーム出力部４６、及びコリメータレンズ駆動モータ４３ｄの動作、並びにスピンドルモータ２の回転を制御するように構成されている。また、制御部６は、ＲＦ信号を再生部３に与える。
【００２９】
再生部３は、制御部６から与えられたＲＦ信号から、光ディスク７に記録されたデータを再生する処理を行う。再生部３は、例えば、ＲＦ信号をＡＤ変換するＡＤ変換部、ＡＤ変換された信号から再生データを検出するためのリミットイコライザ、復調部、誤り訂正部などを備える。なお、再生部３が備える機能の一部を、制御部６が実行するように構成しても良い。また、制御部６及び再生部３をワンチップで構成しても良い。
【００３０】
図３及び図４は、制御部６の処理手順を示すフローチャート、図５及び図６は、光ピックアップ調整方法を概念的に示す説明図である。制御部６は、記憶部５４から調整範囲情報を読み出し、所定のフォーカスバランス調整範囲内で対物レンズ４１ａを移動させる（ステップＳ１１）。次いで、制御部６は、所定の球面収差調整範囲内でコリメータレンズ４３ａを移動させる（ステップＳ１２）。
【００３１】
図５（ａ）は、調整範囲情報によって示された所定のフォーカスバランス調整範囲及び球面収差調整範囲、並びにＴＥＳ信号の信号レベルを示したコンター図である。横軸は、球面収差、縦軸はフォーカスバランスを示している。なお、球面収差は、球面収差の補正量、即ちコリメータレンズ４３ａの位置に対応し、フォーカスバランスは、対物レンズ４１ａの合焦位置、即ち光ディスク７に対する対物レンズ４１ａの位置に対応する。コンター図上にマトリクス状に配された複数の丸印は、球面収差及びフォーカスバランスの調整点を示している。ステップＳ１１及びステップＳ１２の処理では、球面収差及びフォーカスバランスが、一の調整点に対応するように対物レンズ４１ａ及びコリメータレンズ４３ａを移動させる。また、後述するように、一の調整点について、ＴＥＳ信号の取得、ＴＥＳ信号の信号レベルの記憶等が行われた場合、残りの他の調整点に順次対応するように対物レンズ４１ａ及びコリメータレンズ４３ａを移動させる。
【００３２】
次いで、制御部６は、アナログ信号処理回路５から出力されたＴＥＳ信号を取得し（ステップＳ１３）、取得したＴＥＳ信号の信号レベルと、フォーカスバランス情報と、球面収差情報とを対応付けて記憶する（ステップＳ１４）。フォーカスバランス情報は、対物レンズ４１ａの合焦位置、即ち光ディスク７に対する対物レンズ４１ａの位置を示す情報である。球面収差情報は、球面収差の補正量、即ちコリメータレンズ４３ａの位置を示す情報である。
【００３３】
次いで、制御部６は、記憶部５４が記憶する調整範囲情報に基づいて、全調整範囲に対応するＴＥＳ信号を取得したか否かを判定する（ステップＳ１５）。全調整範囲におけるＴＥＳ信号を取得していないと判定した場合（ステップＳ１５：ＮＯ）、制御部６は、処理をステップＳ１１へ戻す。
【００３４】
全調整範囲でＴＥＳ信号を取得したと判定した場合（ステップＳ１５：ＹＥＳ）、制御部６は、所定信号レベル以上のＴＥＳ信号が得られたフォーカスバランス情報及び球面収差情報の組合せを複数選択する（ステップＳ１６）。
【００３５】
図５（ｂ）は、所定信号レベル以上のＴＥＳ信号が得られたフォーカスバランス及び球面収差の組合せを示すコンター図である。楕円線は、所定信号レベル以上のＴＥＳ信号が得られた複数の各調整点を囲んだものであり、図５（ｂ）においては５組のフォーカスバランス情報及び球面収差情報の組合せが選択されている。
【００３６】
そして、制御部６は、選択された一の組のフォーカスバランス情報に基づいて、対物レンズ４１ａを移動させ（ステップＳ１７）、該一の組の球面収差情報に基づいて、コリメータレンズ４３ａを移動させる（ステップＳ１８）。
【００３７】
図６（ａ）は、選択された複数組のフォーカスバランス情報及び球面収差情報、並びにＲＦ信号の信号レベルを示したコンター図である。横軸は、球面収差、縦軸はフォーカスバランスを示している。コンター図上にマトリクス状に配された複数の丸印は、ステップＳ１６で選択されたフォーカスバランス情報及び球面収差情報の組を示している。ステップＳ１７及びステップＳ１８の処理では、球面収差及びフォーカスバランスが、一のフォーカスバランス情報及び球面収差情報の組に対応するように対物レンズ４１ａ及びコリメータレンズ４３ａを移動させる。また、後述するように、一のフォーカスバランス情報及び球面収差情報の組について、ＲＦ信号の取得、ＲＦ信号の信号レベルの記憶等が行われた場合、残りの他の組に順次対応するように対物レンズ４１ａ及びコリメータレンズ４３ａを移動させる。
【００３８】
そして、制御部６は、アナログ信号処理回路５から出力されたＲＦ信号を取得し（ステップＳ１９）、取得したＲＦ信号の信号レベル、フォーカスバランス情報及び球面収差情報を対応付けて記憶する（ステップＳ２０）。
【００３９】
次いで、制御部６は、選択された全組合せに対応するＲＦ信号を取得したか否かを判定する（ステップＳ２１）。全組合せに対応するＲＦ信号を取得していないと判定した場合（ステップＳ２１：ＮＯ）、制御部６は、処理をステップＳ１７へ戻す。全組合せに対応するＲＦ信号を取得したと判定した場合（ステップＳ２１：ＹＥＳ）、制御部６は、ＲＦ信号の信号レベルが最大になるフォーカスバランス情報及び球面収差情報の組合せを選択する（ステップＳ２２）。
【００４０】
図６（ｂ）は、ＲＦ信号の信号レベルが最大となるフォーカスバランス及び球面収差の組合せを示すコンター図である。楕円線は、ＲＦ信号の信号レベルが最大となったフォーカスバランス情報及び球面収差情報の組を囲んだものであり、ステップＳ２２では、該組が選択される。
【００４１】
そして、制御部６は、ステップＳ２２で選択されたフォーカスバランス情報及び球面収差情報に基づいて、対物レンズアクチュエータ４１ｂ及び球面収差補正機構４３の動作を制御し（ステップＳ２３）、処理を終える。
【００４２】
実施の形態にあっては、ＴＥＳ信号が所定信号レベル以上で、かつＲＦ信号の信号レベルが最大になるように、対物レンズ４１ａの位置と、球面収差の補正量を決定することができ、背景技術で説明した光ディスク装置に比べて、トラッキング制御が安定し、よりエラーレートが低い高品質なデータの記録又は再生を行えるよう、合焦位置及び球面収差を最適化することができる。
【００４３】
また、ＴＥＳ信号及びＲＦ信号が比較的大きくなる可能性が高い、対物レンズ４１ａの複数の位置及び複数の補正量の組合せを記憶部５４に記憶させているため、対物レンズ４１ａの位置及び球面収差の補正量をより速やかにかつ最適に調整することができる。
【００４４】
なお、実施の形態においては、ステップＳ１１，１２で球面収差及びフォーカスバランスをマトリクス状に変更する例を説明したが、言うまでもなく、これに限定されるものでは無い。例えば、球面収差及びフォーカスバランスの組み合わせが、球面収差及びフォーカスバランスのグラフ上で渦状、Ｘ状になるように、球面収差及びフォーカスバランスを変更しても良い。また、ランダムに球面収差及びフォーカスバランスを変更しても良い。
【００４５】
また、球面収差及びフォーカスバランスをランダムに変更する場合、球面収差及びフォーカスバランスの調整範囲を記憶した記憶部５４は必須では無い。
【００４６】
（変形例１）
図７は、変形例１に係る光ピックアップ調整方法を概念的に示す説明図である。変形例１に係る光ピックアップ装置１の記憶部５４は、所定信号レベル以上のＴＥＦ信号が得られる可能性が高いフォーカスバランス及び球面収差の範囲を示した調整範囲情報を記憶している。ＴＥＳ信号が比較的大きくなるフォーカスバランス及び球面収差の範囲は、機器毎にばらつきを有するため、機器毎に、所定信号レベル以上のＴＥＦ信号が得られる確率が所定の閾値以上になるフォーカスバランス及び球面収差の範囲を予め測定し、測定して得た該範囲を示す調整範囲情報を記憶部５４に記憶させる。
【００４７】
変形例１にあっては、ＴＥＳ信号が比較的大きくなる調整範囲内でフォーカスバランス及び球面収差を調整することができるため、より速やかに、フォーカスバランス及び球面収差を最適化することができる。
【００４８】
なお、第１所定信号レベル以上のＴＥＳ信号と、第２所定信号レベル以上のＲＦ信号が得られる確率が所定の閾値以上になるフォーカスバランス及び球面収差の範囲を示した調整範囲情報を記憶部５４が記憶するように構成しても良い。この場合、更に速やかに、フォーカスバランス及び球面収差を最適化することができる。
【００４９】
なお、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５０】
１  光ピックアップ装置
２  スピンドルモータ
３  再生部
４  光ピックアップ
５  アナログ信号処理回路
６  制御部
７  光ディスク
４１ａ  対物レンズ
４１ｂ  対物レンズアクチュエータ
４３  球面収差補正機構
４３ａ  コリメータレンズ
４６  光ビーム出力部
４８  光ビーム受光部
５１  ＲＦ信号生成部
５２  ＴＥＳ信号生成部
５３  ＦＥＳ信号生成部
５４  記憶部
【図１】
2011134391.tif 000003
【図２】
2011134391.tif 000004
【図３】
2011134391.tif 000005
【図４】
2011134391.tif 000006
【図５】
2011134391.tif 000007
【図６】
2011134391.tif 000008
【図７】
2011134391.tif 000009